(57)【要約】【課題】本発明は音響機器に搭載されるスピーカ、特に薄型のスピーカに関するものであり、高域特性の改善を薄型という特徴を損なうことなく行うことを目的とするものである。【解決手段】本発明のスピーカは、磁気回路Ａのヨーク２を内外周を橋絡するカップリング１１の外周に振動板８の内周を固定するとともに、更に、前記カップリング１１の前記外周部の下方にサブコーン１７を固定したものであり、サブコーン１７により高域特性の改善を図ると共に、このサブコーン１７をカップリング１１の外周下方に固定したため、スピーカの全高を抑制してスピーカの装着個所の制約を解消したものである。【選択図】  図１
2004241967.tif 000002
【特許請求の範囲】
【請求項１】
放射状のスリットを持つヨークを備えた磁気回路と、この磁気回路の磁気ギャップに嵌め込まれるボイスコイルと、このボイスコイルのボビン外周に固定される内周部と前記ヨーク外周に配置される外周部と前記外周部と内周部を橋絡すると共に少なくとも前記ヨークの前記スリット内および／またはスリット上に配置された補強片からなるカップリングと、前記カップリングの外周に内周が固定された振動板とで構成されるスピーカであって、前記カップリングの前記外周部の下方にサブコーンを固定してなるスピーカ。
【請求項２】
カップリングの天面の補強片近傍に開口を設け、ボイスコイルのボビン部とカップリング間の接合部分から上方へ引き出されたボイスコイルリードを更に前記開口を経てカップリングの外周部下端側から振動板側に引き出してなる請求項１に記載のスピーカ。
【発明の詳細な説明】
【０００１】
【発明の属する技術分野】
本発明は全高を低くできる薄型のスピーカに関するものである。
【０００２】
【従来の技術】
従来の技術を図３〜図５の薄型スピーカにより説明する。図３（ａ）は従来の薄型スピーカの上面図であり、図３（ｂ）は側断面図であり、図４（ａ）は要部であるカップリングの上面図であり、図４（ｂ）は同図４（ａ）のＡ−Ｏ−Ｂ断面図であり、図５（ａ）は同要部であるヨークの上面図であり、図５（ｂ）は同図５（ａ）のＡ−Ｏ−Ｂ断面図である。
【０００３】
同図によると、１はフレーム、２はヨーク、２ａはヨーク２のスリット、３はマグネット、４はトッププレートであり、ヨーク２とマグネット３とトッププレート４とで磁気回路Ａを構成している。５はこの磁気回路Ａの磁気ギャップＡａに嵌め込まれるボビン６とこのボビン６にコイルを巻回したコイル部からなるボイスコイルであり、７はダンパー、８は振動板、９はエッジ、１０はダストキャップ、１１はカップリング、１１ａはカップリング補強片、１１ｂはカップリングフランジ、１２はボイスコイルリード、１３はフレキシブルワイヤー、１４はターミナルである（例えば特許文献１参照）。
【０００４】
本従来技術では、カップリング１１がボイスコイル５と振動板８及び、ダンパー７を連結し、補強片１１ａがカップリング１１の剛性を上げて振動伝達ロスを低減する。ここで、補強片１１ａはスリット２ａの中を可動するように、スリット２ａ内およびまたはスリット２ａ上になるように配置しているため、カップリング１１の深さでストロークを設定でき、通常スピーカと同等の低音再生が可能となる。
【０００５】
【特許文献１】
特開２００２−７８０８２号公報
【０００６】
【発明が解決しようとする課題】
しかしながら、上述のスピーカの更なる高域特性の向上が望まれ、高域用のサブコーンを装着した場合、全高を高くする必要があり、スピーカの装着場所が制限されることとなっていた。
【０００７】
【課題を解決するための手段】
前記課題を解決するために、本発明の請求項１に記載のスピーカは、ボイスコイルのボビン外周に固定されるカップリングの外周部の下方にサブコーンを固定したものであり、カップリングの外周にサブコーンを固定したためにスピーカの全高にほぼ影響を与えることなく高域特性の向上を図ることができるものである。
【０００８】
また、本発明の請求項２に記載のスピーカは、請求項１に記載のスピーカのカップリングの天面の補強片近傍に開口を設け、ボイスコイルのボビン部とカップリング間の接合部分から上方へ引き出されたボイスコイルリードを更に前記開口を経てカップリングの外周部下端側から振動板側に引き出すことで、サブコーンのカップリングへの固着をボイスコイルリードを挟むことなく行い、カップリングの全周で固定でき、振動伝達が安定して、高域特性の改善が安定するものである。
【０００９】
【発明の実施の形態】
以下、本発明のスピーカの一実施の形態について図１、図２により説明する。なお、従来技術と同一部分は同一番号を付与し、説明を省略して説明する。
【００１０】
（実施の形態１）
本発明の一実施の形態のスピーカを図１（ａ）、図１（ｂ）により主として請求項１について説明する。図１（ａ）は本発明の一実施の形態のスピーカの上面図であり、図１（ｂ）は同図１（ａ）のＡ−Ｏ−Ｂ断面図である。同図により従来技術との相違点のみ説明すると、１７はサブコーンであり、サブコーン１７の内周はカップリング１１の外周側面の下端近傍に固定したものである。なお、この固定は一般的に装着結合により行われている。
【００１１】
以上のように、サブコーン１７をカップリング１１の外周下方に固定させたため、サブコーンはスピーカの全高を高くすることなく、または著しく全高を高くすることなく設けて高域の周波数特性の改善に寄与できるものである。
【００１２】
（実施の形態２）
本発明の他の実施の形態を図２（ａ）、図２（ｂ）、図２（ｃ）、図２（ｄ）により主として請求項２について説明する。図２（ａ）は本発明の他の実施の形態のスピーカの上面図であり、図２（ｂ）は同要部である補強片近傍のカップリング天面の拡大図であり、図２（ｃ）は同図１（ａ）のＡ−Ｏ−Ｂ断面図であり、図２（ｄ）は同ボイスコイルリードの引き回しの状態を説明する側断面図である。同図により実施の形態１との相違点のみ説明すると、１５は内側面がボイスコイル５に接着接合され、外側面が振動板８の内周に接着接合されたカップリングであり、１５ａはヨーク２のスリット２ａ内またはその上方に位置するようにカップリング１５に設けられた補強片であり、１５ｂはカップリング１５の外周に設けられたフランジであり、１５ｃはカップリングの天面の補強片１５ａの近傍に設けられた開口であり、１６はボイスコイル５に巻回された線輪の端末になるボイスコイルリードである。
【００１３】
このボイスコイルリード１６はボイスコイル５のボビンとカップリング１５間から上方に引き出され、カップリング１５の天面の開口１５ｃに挿入されて補強片１５ａに沿って下方に引き回され、フランジ開口１５ｄから引き出され、カップリング１５の外周側面を垂直方向に振動板８との間から引き出され（実際にはカップリング１５の外周側面を垂直方向に引き出した状態で振動板８をボイスコイル５に挿入し、この両者を接着結合するのが一般的である。）、振動板８の面に沿って更に引き出し、フレキシブルワイヤー１３と半田付け等により電気的・機械的に接合されている。なお、前記実施の形態ではボイスコイルリード１６はフランジ開口１５ｄから引き出されるものとしたが、ダンパー７に開口を設け、ボイスコイルリード１６を引き出すことも可能である。
【００１４】
以上のように構成した本実施の形態ではボイスコイルリード１６は実施の形態１と異なり、サブコーン１７を経ることなくフレキシブルワイヤー１３との接続が図られるので、サブコーン１７とカップリング１５は全周で接着固定されて、固定が確実に行えて実施の形態１に比べてサブコーン１７への振動伝達が安定し、高域特性の改善がより安定して行えるものである。
【００１５】
【発明の効果】
以上のように本発明のスピーカは、サブコーンをカップリングの外周下方に固定したためにスピーカの全高にほぼ影響を与えることなく高域特性の向上を図ることができるものである。
【図面の簡単な説明】
【図１】（ａ）本発明の一実施の形態のスピーカの上面図
（ｂ）同図１（ａ）のＡ−Ｏ−Ｂ断面図
【図２】（ａ）本発明の他の実施の形態のスピーカの上面図
（ｂ）同要部である補強片近傍のカップリング天面の拡大図
（ｃ）同図１（ａ）のＡ−Ｏ−Ｂ断面図
（ｄ）同要部であるボイスコイルリードの引き回しの状態を説明する側断面図
【図３】（ａ）従来の薄型スピーカの上面図
（ｂ）同側断面図
【図４】（ａ）同要部であるカップリングの上面図
（ｂ）同図４（ａ）のＡ−Ｏ−Ｂ断面図
【図５】（ａ）同要部であるヨークの上面図
（ｂ）同図５（ａ）のＡ−Ｏ−Ｂ断面図
【符号の説明】
１  フレーム
２  ヨーク
３  マグネット
４  トッププレート
５  ボイスコイル
６  ボビン
１１，１５  カップリング
１１ａ，１５ａ  補強片
１１ｂ，１５ｂ  フランジ
１２  ボイスコイルリード
１３  フレキシブルワイヤー
１５ｃ  開口
１７  サブコーン
【図１】
2004241967.tif 000003
【図２】
2004241967.tif 000004
【図３】
2004241967.tif 000005
【図４】
2004241967.tif 000006
【図５】
2004241967.tif 000007